(57)【要約】【課題】コストを低減し、多様な色を揃えることのできるマグネットロックのキーを得る。【解決手段】マグネットロック４０にセットされるキー組立体１０はキーグリップ部２０とマグネットホルダー部３０とからなり、マグネットホルダー部の嵌入係止部分３１は、キーグリップ部のグリップ本体２１の中央凹部２４中へ嵌入され、その突起３２と、グリップ本体２１の係止孔２２とが係合し、両者は固定される。マグネットロック４０のシリンダ４１の底面のマグネット嵌入凹部４９内のマグネット５２は常時はマグネットスプリング５３に押されてシリンダホルダ４７の凹部４８内に入り、シリンダ４１の回動を阻止している。マグネット保持部分３３内のマグネット５１の位置がマグネット５２に対応するキー１０をシリンダ４１に挿入すれば図示の如くマグネット５２は上昇し、シリンダ４１は回動できるようになる。【選択図】    図９
2004162385.tif 000002
【特許請求の範囲】
【請求項１】
マグネットロックのキーにおいて、
キーをキーグリップ部とマグネットホルダー部の二部分で構成し、マグネットホルダー部の嵌入係止部分はキーグリップ部内に嵌入されており、嵌入係止部分に形成された突起と、キーグリップ部に形成された係止孔とが係合されてキーグリップ部とマグネットホルダー部とが固定されていることを特徴とするマグネットロックのキー。
【発明の詳細な説明】
【０００１】
【発明の属する技術分野】
この発明はマグネットロックのキーに関する。
【０００２】
【従来の技術】
ロックのシリンダーの回転をマグネットで阻止し、ロックのマグネットの位置に対応する位置にマグネットを保持するキーを差し込むことにより、ロックのマグネットを移動させてシリンダーが回転できるようにするマグネットロックは従来から広く使用されている。
【０００３】
図１０は従来のマグネットロックのキー９０の斜視図、図１１は図１０をＤ方向からみた図であって、９１はマグネットを保持する凹部、９２はキーを差し込む時に位置決めをする突部である。複数のマグネット保持凹部の内、特定の位置にマグネットが挿入されるが、このままではマグネットを保持することはできず、又マグネットの所在位置が判ってしまうという不工合を免れない。
【０００４】
そこで図１２に示すようにマグネット保持凹部を金属板９３でカバーすることにより、マグネットを保持し、又マグネットの位置が判らないようにすることができる。
【０００５】
【この発明が解決すべき課題】
前記の従来のキーでは、金属板のカバーがコスト高の要因ともなり、又キーを種々の任意の色に仕上げることも困難である。
【０００６】
【課題を解決するための手段】
この発明は前記の課題を解決するために、マグネットロックのキーにおいて、キーをキーグリップ部とマグネットホルダー部の二部分で構成し、マグネットホルダー部の嵌入係止部分はキーグリップ部内に嵌入されており、嵌入係止部分に形成された突起とキーグリップ部に形成された係止孔とが係合されてキーグリップ部とマグネットホルダー部とが固定されていることを特徴とするマグネットロックのキーを得たものである。
【０００７】
【実施例】
図１はこの発明のマグネットロックのキー組立体１０の正面図、図２は図１をＵ方向からみた上面図、図３は図１をＤ方向からみた底面図、図４は図１をＦ方向からみた側面図、図５は図１のＸ−Ｘ断面図、図６はキー組立体１０をキーグリップ部２０とマグネットホルダー部３０とに分解して示した斜視図をそれぞれ示している。
【０００８】
マグネットホルダー部３０は嵌入係止部分３１とマグネット保持部分３３とからなり、嵌入係止部分３１はキーグリップ部２０のグリップ本体２１の中央の凹部２４内に嵌入される。（図５参照）嵌入係止部分３１に形成された係止突起３２と、グリップ本体２１にあけられた係止孔２２とが係合し、キーグリップ部２０とマグネットホルダー部３０とが固定される。なおグリップ本体２１には上方孔部２３が形成されている。
【０００９】
マグネットホルダー部３０のマグネット保持部分３３にはマグネット保持凹部３４があり、マグネット５１が保持されている。（図示の例では３個）３５は突起、３６は切欠であって、それぞれ後述のマグネットロックのシリンダと係合する。これらの突起や切欠の位置や、マグネット保持凹部の位置などを変えることにより種々のキーが形成される。
【００１０】
図７はマグネットロック４０の断面図、図８はマグネットロック４０をシリンダ４１、シリンダホルダ４７、シリンダストッパ４３に分解して示した斜視図をそれぞれ示している。
【００１１】
シリンダ４１はキー組立体１０のマグネット保持部分３３を挿入するキー挿入凹部４２を有し、その周縁部に、前記の突起３５と係合する切欠４５ならびに切欠３６と係合する突起４６とが形成されている。シリンダホルダ４７にシリンダ４１の入る凹部６３ならびにマグネットが嵌入する複数の凹部４８とが形成されている。（図示の例では８個）
【００１２】
シリンダ４１の下方に角軸６１が形成され、シリンダホルダ４７の孔６４を通ってシリンダーストッパ４３の角孔６２と係合している。シリンダ４１とシリンダストッパ４３とはシリンダホルダ４７をはさんでねじ６５で締め付けられている。４４は角軸６１内のねじ孔を示している。
【００１３】
シリンダ４１の底面にマグネット嵌入凹部４９が前記のシリンダホルダ４７のマグネット嵌入凹部４８と対応する位置にあるように形成されていて、その凹部４９内にマグネット５２とマグネットスプリング５３とが嵌入され、マグネット５２はマグネットスプリング５３に付勢されてシリンダホルダ４７のマグネット嵌入凹部４８内に押し付けられている。（図７参照）図示の例では８個の凹部の内特定の３個の凹部にマグネット５２が入っている。
【００１４】
図７から判るように常時はマグネット５２がマグネットスプリング５３に付勢されてシリンダホルダ４７のマグネット嵌入凹部４８に入り、シリンダ４１の凹部４９との間に存在するのでシリンダは回動できず、マグネットロック４０は鎖錠状態にある。
【００１５】
図９はマグネットロック４０にキー組立体１０をセットした状態を示している。マグネット保持部分３３がシリンダ４１のキー挿入凹部４２に挿入される。シリンダ４１の底面のマグネットの配列とキーのマグネットの配列が一致していればキーのマグネット５１の作用により、図９に示されるようにシリンダのマグネット５２がマグネットスプリング５３に抗して上昇してシリンダホルダ４７の凹部４８から外れ、シリンダ４１の回転の拘束がなくなり、シリンダ４１は回転可能となり、キー組立体１０はその突起３５がシリンダ４１の切欠４５と係合し、切欠３６はシリンダ４１の突起４６と係合しているので、キー組立体１０を廻せばシリンダ４１も回動し、解錠することができる。
【００１６】
このようにこの発明のマグネットロックのキーはキーグリップ部とマグネットホルダー部に分割されてマグネットを所定位置に封入しているので金属板のカバーが不要となりコストが削減でき、又キーグリップ部を任意の色彩のものとすることができ、外観も好みの色とすることができる。
【００１７】
【発明の効果】
この発明のマグネットロックのキーは前記の如き構成であって、コストを低減し、また多様な色のキーを揃えることができる。
【図面の簡単な説明】
【図１】キー組立体の正面図
【図２】図１をＵ方向からみた上面図
【図３】図１をＤ方向からみた底面図
【図４】図１をＦ方向からみた側面図
【図５】図１のＸ−Ｘ断面図
【図６】キー組立体を分解して示した斜視図
【図７】マグネットロックの断面図
【図８】マグネットロックを分解して示した斜視図
【図９】キーをセットした状態を示す断面図
【図１０】従来のキーの斜視図
【図１１】図１０をＤ方向からみた図
【図１２】同じく金属板でカバーしたところを示す図
【符号の説明】
１０    キー組立体
２０    キーグリップ部
２１    グリップ本体
２２    係止孔
２３    上方孔部
２４    中央凹部
３０    マグネットホルダー部
３１    嵌入係止部分
３２    係止突起
３３    マグネット保持部分
３４    マグネット保持凹部
３５    突起
３６    切欠
４０    マグネットロック
４１    シリンダ
４２    キー挿入凹部
４３    シリンダストッパ
４４    ねじ孔
４５    切欠
４６    突起
４７    シリンダホルダ
４８    マグネット嵌入凹部（シリンダホルダ）
４９    マグネット嵌入凹部（シリンダ底面）
５１    キーのマグネット
５２    ロックのマグネット
５３    マグネットスプリング
６１    角軸
６２    角孔
６３    シリンダの入る凹部
６４    角軸の通る孔
６５    ねじ
９０    従来のキー
９１    マグネット保持凹部
９２    突起
９３    金属板のカバー
【図１】
2004162385.tif 000003
【図２】
2004162385.tif 000004
【図３】
2004162385.tif 000005
【図４】
2004162385.tif 000006
【図５】
2004162385.tif 000007
【図６】
2004162385.tif 000008
【図７】
2004162385.tif 000009
【図８】
2004162385.tif 000010
【図９】
2004162385.tif 000011
【図１０】
2004162385.tif 000012
【図１１】
2004162385.tif 000013
【図１２】
2004162385.tif 000014